(57)【要約】  著作権管理コンテンツ・オブジェクトを配布するための様々なシステムおよび方法が開示される。例えば、本発明のいくつかの実施形態は、デジタル記憶デバイスを提供することを含む配布のための方法を提供し、デジタル記憶デバイスは、無線インターフェースと、著作権管理コンテンツ・オブジェクトを保持する記憶コンポーネントとを含む。著作権管理コンテンツ・オブジェクトを第１のモバイル・アプリケーション・デバイスに無線インターフェースを介して提供するよう求める第１の要求が受け取られ、著作権管理コンテンツ・オブジェクトを第２のモバイル・アプリケーション・デバイスに無線インターフェースを介して提供するよう求める第２の要求が受け取られる。著作権管理コンテンツ・オブジェクトは、記憶コンポーネントから入手され、入手されたコンテンツ・オブジェクトに関連するデジタル著作権管理ツールが、入手される。著作権管理コンテンツ・オブジェクトは、デジタル著作権管理ツールを使用して暗号解除され、無線インターフェースを介して第１のモバイル・アプリケーション・デバイスおよび第２のモバイル・アプリケーション・デバイスの両方にストリーム送信される。
2009543218.tif 000002
【特許請求の範囲】
【請求項１】
著作権管理コンテンツ・オブジェクトを配布するための方法であって、
無線インターフェースおよび記憶コンポーネントを含むモバイル記憶デバイスを提供することであって、前記記憶コンポーネントが、著作権管理コンテンツ・オブジェクトを含む、提供することと、
前記著作権管理コンテンツ・オブジェクトを前記無線インターフェースを介して第１のモバイル・アプリケーション・デバイスに提供するよう求める第１の要求を受け取ることと、
前記著作権管理コンテンツ・オブジェクトを前記無線インターフェースを第２のモバイル・アプリケーション・デバイスに介して提供するよう求める第２の要求を受け取ることと、
前記著作権管理コンテンツ・オブジェクトを前記記憶コンポーネントから入手することと、
前記入手したコンテンツ・オブジェクトに関連するデジタル著作権管理ツールを入手することと、
前記入手したコンテンツ・オブジェクトを前記デジタル著作権管理ツールを使用して暗号解除することと、
前記暗号解除したコンテンツ・オブジェクトを前記無線インターフェースを介して前記第１のモバイル・アプリケーション・デバイスにストリーム送信することと、
前記暗号解除したコンテンツ・オブジェクトを前記無線インターフェースを介して前記第２のモバイル・アプリケーション・デバイスにストリーム送信することと
を含む方法。
【請求項２】
前記著作権管理コンテンツ・オブジェクトを受け取ることと、
前記著作権管理コンテンツ・オブジェクトをネイティブ・フォーマットで前記記憶コンポーネントに保存することと
をさらに含む、請求項１に記載の方法。
【請求項３】
前記著作権管理コンテンツ・オブジェクトを前記無線インターフェースを介して前記第１のモバイル・アプリケーション・デバイスに提供するよう求める第１の要求を受け取ることが、前記ネイティブ・フォーマットを指示し、前記著作権管理コンテンツ・オブジェクトを前記無線インターフェースを介して前記第２のモバイル・アプリケーション・デバイスに提供するよう求める第２の要求を受け取ることが、選択されたフォーマットを指示し、前記方法が、
前記著作権管理コンテンツ・オブジェクトを前記ネイティブ・フォーマットから前記選択されたフォーマットに変換すること
をさらに含む、請求項２に記載の方法。
【請求項４】
前記暗号解除したコンテンツ・オブジェクトが、前記ネイティブ・フォーマットで前記第１のモバイル・アプリケーション・デバイスにストリーム送信され、前記暗号解除したコンテンツ・オブジェクトが、前記選択されたフォーマットで前記第２のモバイル・アプリケーション・デバイスにストリーム送信される、請求項３に記載の方法。
【請求項５】
前記モバイル・アプリケーション・デバイスが、グラフィカル・ユーザ・インターフェースを含み、前記方法が、
前記グラフィカル・ユーザ・インターフェースを駆動するための情報を前記無線インターフェースを介して提供することであって、前記グラフィカル・ユーザ・インターフェースが、前記モバイル記憶デバイス用のリモート・グラフィカル・ユーザ・インターフェースとして動作する、提供すること
をさらに含む、請求項４に記載の方法。
【請求項６】
前記デジタル著作権管理ツールが、暗号解除鍵である、請求項１に記載の方法。
【請求項７】
前記デジタル著作権管理ツールが、前記入手したコンテンツ・オブジェクトを暗号解除するための、プロセッサによって実行可能な１組の命令を含む、請求項１に記載の方法。
【請求項８】
前記記憶コンポーネントが、ハードディスク・ドライブおよびフラッシュ・メモリの両方を含む、請求項１に記載の方法。
【請求項９】
前記無線インターフェースが、ＢｌｕｅｔｏｏｔｈインターフェースおよびＷｉＦｉインターフェースからなる群から選択される、請求項１に記載の方法。
【請求項１０】
著作権管理コンテンツ・オブジェクトを配布するためのシステムであって、
プロセッサ、無線インターフェース、および記憶コンポーネントを含むモバイル記憶デバイスを備え、
前記記憶コンポーネントが、第１のコンテンツ・オブジェクトおよび第２のコンテンツ・オブジェクトを含み、前記記憶コンポーネントが、
前記第１のコンテンツ・オブジェクトおよび前記第２のコンテンツ・オブジェクトの一方を前記記憶コンポーネントから入手し、
前記入手したコンテンツ・オブジェクトに関連するデジタル著作権管理ツールを入手し、
前記入手したコンテンツ・オブジェクトを前記デジタル著作権管理ツールを使用して暗号解除し、
前記暗号解除したコンテンツ・オブジェクトを前記無線インターフェースを介してモバイル・アプリケーション・デバイスに配布するための、
前記プロセッサによって実行可能な命令をさらに含むシステム。
【請求項１１】
前記モバイル・アプリケーション・デバイスが、前記モバイル記憶デバイスに対してローカルに存在する、請求項１０に記載のシステム。
【請求項１２】
前記モバイル・アプリケーション・デバイスに組み込まれるグラフィカル・ユーザ・インターフェースであって、前記モバイル記憶デバイス用のリモート・グラフィカル・ユーザ・インターフェースとして動作するグラフィカル・ユーザ・インターフェース
をさらに備える、請求項１１に記載のシステム。
【請求項１３】
前記記憶コンポーネントが、ハードディスク・ドライブおよびフラッシュ・メモリの少なくとも一方を含む、請求項１０に記載のシステム。
【請求項１４】
前記無線インターフェースが、ＢｌｕｅｔｏｏｔｈインターフェースおよびＷｉＦｉインターフェースからなる群から選択される、請求項１０に記載のシステム。
【請求項１５】
前記記憶コンポーネントが、
前記第１のコンテンツ・オブジェクトを受け取り、
前記第１のコンテンツ・オブジェクトをネイティブ・フォーマットで記憶媒体に保存するための、
前記プロセッサによって実行可能な命令をさらに含む、請求項１０に記載のシステム。
【請求項１６】
前記記憶コンポーネントが、
前記第１のコンテンツ・オブジェクトを前記ネイティブ・フォーマットから選択されたフォーマットに変換するための命令であって、前記暗号解除したコンテンツ・オブジェクトが、前記選択されたフォーマットで配布される、
前記プロセッサによって実行可能な命令をさらに含む、請求項１５に記載のシステム。
【請求項１７】
前記記憶コンポーネントが、
前記選択されたフォーマットの表示を前記モバイル・アプリケーション・デバイスから前記無線インターフェースを介して受け取るための、
前記プロセッサによって実行可能な命令をさらに含む、請求項１６に記載のシステム。
【請求項１８】
前記記憶コンポーネントが、
前記第１のコンテンツ・オブジェクトを受け取り、
前記第１のコンテンツ・オブジェクトをネイティブ・フォーマットに変換し、
前記第１のコンテンツ・オブジェクトを前記ネイティブ・フォーマットで前記記憶媒体に保存するための、
前記プロセッサによって実行可能な命令をさらに含む、請求項１０に記載のシステム。
【請求項１９】
前記デジタル著作権管理ツールが、暗号解除鍵である、請求項１０に記載のシステム。
【請求項２０】
前記デジタル著作権管理ツールが、前記入手したコンテンツ・オブジェクトを暗号解除するための、前記プロセッサによって実行可能な１組の命令を含む、請求項１０に記載のシステム。
【請求項２１】
著作権管理コンテンツ・オブジェクトを配布するためのシステムであって、
グラフィカル・ユーザ・インターフェースを含むモバイル・アプリケーション・デバイスと、
プロセッサ、無線インターフェース、および記憶コンポーネントを含むモバイル記憶デバイスとを備え、前記記憶コンポーネントが、不揮発性メモリ・コンポーネントを含み、前記モバイル記憶デバイスが、前記無線インターフェースを介して前記モバイル・アプリケーション・デバイスに通信可能に結合され、前記記憶コンポーネントが、コンテンツ・オブジェクトを含み、前記記憶コンポーネントが、
前記モバイル記憶デバイス用のリモート・グラフィカル・ユーザ・インターフェースとして動作するグラフィカル・ユーザ・インターフェースを駆動するために使用される情報セットを前記無線インターフェースを介して前記モバイル・アプリケーション・デバイスに提供し、
前記コンテンツ・オブジェクトを受け取り、
前記コンテンツ・オブジェクトをネイティブ・フォーマットで保存し、
選択されたフォーマットを指示する、前記コンテンツ・オブジェクトを求める要求を前記モバイル・アプリケーション・デバイスから受け取り、
前記コンテンツ・オブジェクトを前記記憶コンポーネントから入手し、
前記コンテンツ・オブジェクトに関連するデジタル著作権管理ツールを入手し、
前記コンテンツ・オブジェクトを前記デジタル著作権管理ツールを使用して暗号解除し、
前記暗号解除したコンテンツ・オブジェクトのフォーマットを前記ネイティブ・フォーマットから前記選択されたフォーマットに変換し、
前記暗号解除およびフォーマット変換したコンテンツ・オブジェクトを前記無線インターフェースを介して前記モバイル・アプリケーション・デバイスにストリーム送信するための、
前記プロセッサによって実行可能な命令をさらに含むシステム。
【発明の詳細な説明】
【技術分野】
【０００１】
本出願は、Ａｌ−Ｒｅｆａｅｅ他によって２００６年７月５日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８０６，６１０号、Ａｌ−Ｒｅｆａｅｅ他によって２００６年１０月１１日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８２９，００７号、およびＡｌ−Ｒｅｆａｅｅ他によって２００６年１２月１１日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８６９，４５３号の優先権を主張する（上記出願の非仮出願である）。上記出願の各々は、本発明と同じ譲受人に譲渡され、すべての目的で参照により本明細書に組み込まれる。
【０００２】
さらに、本出願は、本出願と同日に出願された以下の特許出願、すなわち、Ｂａｈｒａｍ他によって出願された「Ｓｙｓｔｅｍｓ  ａｎｄ  Ｍｅｔｈｏｄｓ  ｆｏｒ  Ｉｍｐｌｅｍｅｎｔｉｎｇ  Ｈａｎｄｓ  Ｆｒｅｅ  Ｏｐｅｒａｔｉｏｎａｌ  Ｅｎｖｉｒｏｎｍｅｎｔｓ」と題するＰＣＴ出願（整理番号ＡＧＥＲＥ−００１２１０ＰＣＴ）、Ｈａｄｄａｄ他によって出願された「Ｓｙｓｔｅｍｓ  ａｎｄ  Ｍｅｔｈｏｄｓ  ｆｏｒ  Ｍｕｌｔｉｐｏｒｔ  Ｃｏｍｍｕｎｉｃａｔｉｏｎ  Ｄｉｓｔｒｉｂｕｔｉｏｎ」と題するＰＣＴ出願（整理番号ＡＧＥＲＥ−００１２２０ＰＣＴ）、Ｗａｒｒｅｎ他によって出願された「Ｓｙｓｔｅｍｓ  ａｎｄ  Ｍｅｔｈｏｄｓ  ｆｏｒ  Ｐｏｗｅｒ  Ｍａｎａｇｅｍｅｎｔ  ｉｎ  Ｒｅｌａｔｉｏｎ  ｔｏ  ａ  Ｗｉｒｅｌｅｓｓ  Ｓｔｏｒａｇｅ  Ｄｅｖｉｃｅ」と題するＰＣＴ出願（整理番号ＡＧＥＲＥ−００１２３０ＰＣＴ）、Ａｌ−Ｒｅｆａｅｅ他によって出願された「Ｓｙｓｔｅｍｓ  ａｎｄ  Ｍｅｔｈｏｄｓ  ｆｏｒ  Ｍｕｌｔｉ−ｕｓｅｒ  Ａｃｃｅｓｓ  ｔｏ  ａ  Ｗｉｒｅｌｅｓｓ  Ｓｔｏｒａｇｅ  Ｄｅｖｉｃｅ」と題するＰＣＴ出願（整理番号ＡＧＥＲＥ−００１２６０ＰＣＴ）、およびＷａｒｒｅｎ他によって出願された「Ｓｙｓｔｅｍｓ  ａｎｄ  Ｍｅｔｈｏｄｓ  ｆｏｒ  Ｍｏｂｉｌｅ  Ｄａｔａ  Ｓｔｏｒａｇｅ  ａｎｄ  Ａｃｑｕｉｓｉｔｉｏｎ」と題するＰＣＴ出願（整理番号ＡＧＥＲＥ−００１２７０ＰＣＴ）に関連する。上記関連出願のすべては、本発明と同じ譲受人に譲渡され、すべての目的で参照により本明細書に組み込まれる。
【０００３】
本発明は、一般に、データ配布に関し、詳細には、データ配布に関連してデジタル著作権管理を実行するためのシステムおよび方法に関する。
【背景技術】
【０００４】
ローカル集中メモリを管理する中央プロセッサを備えるコンピュータ・アーキテクチャは、ここ数１０年のコンピューティングにおける標準となっている。このアーキテクチャは、関連プロセッサに対するスレーブとして認識される中央リポジトリを利用する。お馴染みのプロセッサおよびメモリ構造を利用する多数のデバイスが開発されてきた。例えば、オーディオ・レコーダ、オーディオ・プレーヤ、セルラ電話、ビデオ・プレーヤ、ビデオ・ゲーム・デバイス、およびビデオ・レコーダなどを始めとする、多くの消費者デバイスが開発されており、それらの消費者デバイスは、デバイス内の管理プロセッサに対してスレーブとして動作する、特定のデバイスにとってローカルな中央メモリを含む。そのようなデバイスは、市場において急増しており、留まることを知らない消費者の要求を満たしてきた。
【０００５】
デジタル著作権管理の進展が、ローカル・プロセッサによって管理されるデータ・リポジトリに課される様々な制限を出現させた。具体的には、デジタル・コンテンツ・プロバイダは、コンテンツを消費者に販売し、消費者がそのコンテンツを好きなだけ長く保持および使用できるようにすることに特に異存はない。しかし、この請け合いは、コンテンツ著作権の非互換性および他の問題のため、いくぶん幻想的であることが分かった。これらの非互換性のため、デジタル著作権管理は、購入したコンテンツの使用をそのコンテンツが最初に配備されたデバイスのみにしばしば限定する。したがって、例えば、消費者は、コンテンツ・プロバイダから特定の着信音を購入し、購入した着信音をセルラ電話にダウンロードすることができる。その後、消費者は、そのセルラ電話を使い続ける限り、その着信音を使用することができる。消費者は、ひとたびセルラ電話を交換すると、着信音を再購入するよう強いられる。代替として、消費者は、着信音に関して使用されるデジタル著作権管理方式をサポートするサービスから、購入した着信音をダウンロードするよう強いられる。ユーザがそのようなサービスにアクセスするたびに、代金が請求される。したがって、消費者の観点からは、そのようなサービスは、新しいデバイスで使用するために問題のコンテンツを単に再購入することと基本的に異ならない。
【特許文献１】米国仮特許出願第６０／８０６，６１０号
【特許文献２】米国仮特許出願第６０／８２９，００７号
【特許文献３】米国仮特許出願第６０／８６９，４５３号
【特許文献４】ＰＣＴ出願（整理番号ＡＧＥＲＥ−００１２１０ＰＣＴ）
【特許文献５】ＰＣＴ出願（整理番号ＡＧＥＲＥ−００１２２０ＰＣＴ）
【特許文献６】ＰＣＴ出願（整理番号ＡＧＥＲＥ−００１２３０ＰＣＴ）
【特許文献７】ＰＣＴ出願（整理番号ＡＧＥＲＥ−００１２６０ＰＣＴ）
【特許文献８】ＰＣＴ出願（整理番号ＡＧＥＲＥ−００１２７０ＰＣＴ）
【発明の開示】
【発明が解決しようとする課題】
【０００６】
したがって、少なくとも上述の理由のため、デジタル情報のセキュリティを確実にするのと同時に、デジタル情報の適切な使用を可能にする高度なシステムおよび方法が、当技術分野において必要とされている。
【課題を解決するための手段】
【０００７】
本発明は、一般に、データ配布に関し、詳細には、データ配布に関連してデジタル著作権管理を実行するためのシステムおよび方法に関する。
【０００８】
本発明の様々な実施形態は、著作権管理（ｒｉｇｈｔｓ  ｍａｎａｇｅｄ）コンテンツ・オブジェクトを配布するためのシステムを提供する。そのようなシステムは、モバイル・アプリケーション・デバイスと、モバイル記憶デバイスとを含む。モバイル記憶デバイスは、プロセッサと、無線インターフェースと、不揮発性メモリ・コンポーネントを含む記憶コンポーネントとを含む。モバイル記憶デバイスは、無線インターフェースを介してモバイル・アプリケーション・デバイスに通信可能に結合され、モバイル・アプリケーション・デバイスのグラフィカル・ユーザ・インターフェースは、モバイル記憶デバイスへのアクセスを制御するために使用される。記憶コンポーネントは、少なくとも１つのコンテンツ・オブジェクトと、無線インターフェースを介してモバイル・アプリケーション・デバイスに情報セットを提供するための、プロセッサによって実行可能な命令とを含む。情報セットは、モバイル・アプリケーション・デバイスのグラフィカル・ユーザ・インターフェースを駆動するために使用され、それによって、グラフィカル・ユーザ・インターフェースは、モバイル記憶デバイス用のリモート・グラフィカル・ユーザ・インターフェースとして動作する。コンテンツ・オブジェクトを受け取り、コンテンツ・オブジェクトをネイティブ・フォーマットで保存するための命令が、プロセッサによってさらに実行可能である。選択されたフォーマットを示すコンテンツ・オブジェクトを求める要求を受け取り、コンテンツ・オブジェクトを記憶コンポーネントから入手し、コンテンツ・オブジェクトに関連するデジタル著作権管理ツールを入手し、コンテンツ・オブジェクトをデジタル著作権管理ツールを使用して暗号解除し、暗号解除されたコンテンツ・オブジェクトのフォーマットをネイティブ・フォーマットから選択されたフォーマットに変換し、暗号解除およびフォーマット変換されたコンテンツ・オブジェクトを無線インターフェースを介してモバイル・アプリケーション・デバイスにストリーム送信するための命令が、プロセッサによってさらに実行可能である。
【０００９】
本発明の他の実施形態は、著作権管理コンテンツ・オブジェクトを配布するための方法を提供する。そのような方法は、無線インターフェースと、著作権管理コンテンツ・オブジェクトを保持する記憶コンポーネントとを含む、モバイル記憶デバイスを提供することを含む。著作権管理コンテンツ・オブジェクトを無線インターフェースを介して第１のモバイル・アプリケーション・デバイスに提供するよう求める第１の要求が受け取られ、著作権管理コンテンツ・オブジェクトを無線インターフェースを介して第２のモバイル・アプリケーション・デバイスに提供するよう求める第２の要求が受け取られる。著作権管理コンテンツ・オブジェクトは、記憶コンポーネントから入手され、入手されたコンテンツ・オブジェクトに関連するデジタル著作権管理ツールが、入手される。著作権管理コンテンツ・オブジェクトは、デジタル著作権管理ツールを使用して暗号解除され、無線インターフェースを介して第１のモバイル・アプリケーション・デバイスおよび第２のモバイル・アプリケーション・デバイスの両方にストリーム送信される。
【００１０】
上述の実施形態のいくつかの例では、方法は、著作権管理コンテンツ・オブジェクトを受け取ることと、著作権管理コンテンツ・オブジェクトをネイティブ・フォーマットで記憶コンポーネントに保存することとをさらに含む。場合によっては、第１の要求と第２の要求は、著作権管理コンテンツ・オブジェクトがそれで配送される、異なるフォーマットを示す。そのような場合、著作権管理コンテンツ・オブジェクトを受取手に配送する前に、ネイティブ・フォーマットから選択されたフォーマットへの著作権管理コンテンツ・オブジェクトのフォーマット変換が実行されてよい。
【００１１】
上述の実施形態のいくつかの例では、デジタル著作権管理ツールは、暗号解除鍵であり、一方、上述の実施形態の他の例では、デジタル著作権管理ツールは、入手したコンテンツ・オブジェクトを暗号解除するための、プロセッサによって実行可能な１組の命令を含む。本明細書で提供される開示に基づいて、当業者であれば、本発明の１つまたは複数の実施形態に関して使用され得る様々なデジタル著作権管理ツールについて理解されよう。いくつかの場合では、記憶コンポーネントは、ハードディスク・ドライブおよびフラッシュ・メモリの両方を含み、一方、他の場合では、記憶コンポーネントは、ハードディスク・ドライブおよびフラッシュ・メモリの一方または他方を含む。無線インターフェースは、Ｂｌｕｅｔｏｏｔｈインターフェースおよび／またはＷｉＦｉインターフェースとすることができるが、それらに限定されない。
【００１２】
本発明のまた他の実施形態は、著作権管理コンテンツ・オブジェクトを配布するためのシステムを提供する。そのようなシステムは、プロセッサと、無線インターフェースと、記憶コンポーネントとを備える、モバイル記憶デバイスを含む。記憶コンポーネントは、少なくとも第１のコンテンツ・オブジェクトおよび第２のコンテンツ・オブジェクトを保持する。加えて、記憶コンポーネントは、第１のコンテンツ・オブジェクトおよび第２のコンテンツ・オブジェクトの一方を記憶コンポーネントから入手し、入手したコンテンツ・オブジェクトに関連するデジタル著作権管理ツールを入手するための、プロセッサによって実行可能な命令を含む。入手したコンテンツ・オブジェクトをデジタル著作権管理ツールを使用して暗号解除し、暗号解除したコンテンツ・オブジェクトを無線インターフェースを介してモバイル・アプリケーション・デバイスに配布するための命令が、さらに実行可能である。上述の実施形態のいくつかの例では、システムは、モバイル・アプリケーション・デバイスに組み込まれたグラフィカル・ユーザ・インターフェースをさらに含む。グラフィカル・ユーザ・インターフェースは、モバイル記憶デバイス用のリモート・グラフィカル・ユーザ・インターフェースとして動作する。
【００１３】
この要約は、本発明によるいくつかの実施形態の一般的な概略を提供するにすぎない。本発明の多くの他の目的、特徴、利点、および他の実施形態は、以下の詳細な説明、添付の特許請求の範囲、および添付の図面からより十分に明らかとなろう。
【００１４】
本発明の様々な実施形態のさらなる理解は、本明細書の残りの部分で説明される図面を参照して実現されよう。図面では、同様の参照番号は、複数の図面の全体にわたって、同様のコンポーネントを指示するために使用される。いくつかの例では、小文字から成るサブレベルは、複数の同様のコンポーネントの１つを表すために、参照番号に関連づけられる。存在するサブラベルの指定のない参照番号に対して言及がなされる場合、そのような複数の同様のコンポーネントをすべて指示することが意図されている。
【発明を実施するための最良の形態】
【００１５】
本発明は、一般に、データ配布に関し、詳細には、データ配布に関連してデジタル著作権管理を実行するためのシステムおよび方法に関する。
【００１６】
本発明のいくつかの実施形態は、とりわけ、１つまたは複数のコンテンツ・オブジェクトを保存することと、保存されたコンテンツ・オブジェクトに関する所望のデジタル著作権管理を実行することが可能な、ユニバーサル・モバイル接続記憶（「ＵＭＣＳ：Ｕｎｉｖｅｒｓａｌ  Ｍｏｂｉｌｅ  Ｃｏｎｔｅｎｔ  Ｓｔｏｒａｇｅ」）デバイスなどのモバイル記憶デバイスを利用する。本明細書で使用される「著作権管理（ｒｉｇｈｔｓ  ｍａｎａｇｅｄ）」および「デジタル著作権管理（ｄｉｇｉｔａｌ  ｒｉｇｈｔｓ  ｍａｎａｇｅｍｅｎｔ）」という語句は、情報へのアクセスをその情報を暗号解除または復号するための鍵を提供された人に制限するために使用され得る、当技術分野で知られ、当技術分野で開発された複数の技術または手法のいずれかを指す最も広い意味で使用される。したがって、例えば、著作権管理コンテンツ・オブジェクトは、著作権管理コンテンツ・オブジェクトを暗号解除または他の方法でアンラップ（ｕｎｗｒａｐ）することが可能なデジタル著作権管理ツールを有する人に、その使用および配布が制限されることを意図した方法で、暗号化またはラップ（ｗｒａｐ）された任意のデータである。本明細書で使用される著作権管理コンテンツ・オブジェクトは、例えば、オーディオ、ビデオ、および／またはソフトウェア・オブジェクトなどの消費者コンテンツ・オブジェクト、ならびに例えば、文書などの企業コンテンツとすることができるが、それらに限定されないことに留意されたい。本明細書で使用される「コンテンツ・オブジェクト」という語句は、アプリケーション・デバイスによって使用され得る任意の情報の組を指す最も広い意味で使用される。したがって、例えば、コンテンツ・オブジェクトは、デジタル・オーディオ・ファイル、デジタル・ビデオ・ファイル、コンピュータ・ソフトウェア・プログラム、または文書などとすることができる。場合によっては、モバイル記憶デバイスが、デジタル著作権管理に対する異なる手法を使用して、コンテンツ・オブジェクトの保存および配布をサポートできるように、様々なデジタル著作権管理方式がサポートされる。そのような実施形態では、デジタル著作権管理コンテンツは、ユーザと一緒に携行されてよく、したがって、ユーザによって使用されるデバイスにローカルに存在する。さらに、コンテンツは、有線または無線接続を使用してモバイル記憶デバイスに接続することが可能な１つまたは複数のデバイスを使用してアクセスされ、利用されてもよい。
【００１７】
動作について、コンテンツ・オブジェクトは、モバイル記憶デバイスに通信可能に結合されたデバイスによって要求されることができる。要求を受け取ると、モバイル記憶デバイスは、デジタル著作権管理方式が利用されているかどうかを決定し、利用されている場合、どの方式かを決定する。その後、選択されたコンテンツ・オブジェクトをアンラップするために、適切なデジタル著作権管理モジュールが選択される。アンラップされると、コンテンツ・オブジェクトは、コンテンツ・オブジェクトが不法コピーから保護されることにあるレベルの保証を与える方法で、要求デバイスにストリーム送信される。
【００１８】
図１を参照すると、図は、本発明の様々な実施形態に従って利用され得る、例示的なコンテンツ使用ネットワーク１００を示している。コンテンツ使用ネットワーク１００は、１つまたは複数の著作権管理コンテンツ・オブジェクトをＵＭＣＳデバイスから１つまたは複数の受取側デバイスに配布するために利用することができる。例示的なコンテンツ使用ネットワーク１００は、ＵＭＣＳ１１０をその中核に含む。ＵＭＣＳ１１０は、１つまたは複数のオンラインおよび無線コンテンツ・プロバイダからコンテンツ・オブジェクトを受け取るばかりでなく、例えばオーディオ・レコーダおよびビデオ・レコーダなど、様々な自己保持アプリケーション・デバイスからも受け取る。場合によっては、ＵＭＣＳ１１０は、ケーブル１１７を介してパーソナル・コンピュータ１１５に断続的（ｉｎｔｅｒｍｉｔｔｅｎｔｌｙ）に有線接続されてよい。そのような場合、ＵＭＣＳ１１０は、パーソナル・コンピュータ１１５に関連する標準Ｉ／Ｏインターフェースを使用して、パーソナル・コンピュータ１１５を介して構成されることができる。
【００１９】
無線ネットワーク１２０は、当技術分野で知られた任意の無線ネットワークとすることができる。したがって、例えば、無線ネットワーク１２０は、当技術分野で知られるようなＢｌｕｅｔｏｏｔｈ（商標）ネットワークまたはＷｉＦｉネットワークとすることができるが、それらに限定されない。上で示されたように、「Ｂｌｕｅｔｏｏｔｈ」という語は、Ｂｌｕｅｔｏｏｔｈ  ＳＩＧ，Ｉｎｃ．の商標である。簡明にするため、これ以降でＢｌｕｅｔｏｏｔｈという語を使用する際、慣行の商標表示は行われない。ＵＭＣＳ１１０は、別のアプリケーション・デバイスのユーザ・インターフェースを使用して、無線ネットワーク１２０を介して構成することができる一方、他の手法を使用して、構成することもできることに留意されたい。したがって、例えば、ＵＭＣＳ１１０は、自己構成を行うこともできる。そのような場合、ＵＭＣＳ１１０は、利用可能な無線ネットワークを自動検出するばかりでなく、無線ネットワークを介して接続されるデバイスも自動検出するために、十分なインテリジェンスを備えて実施される。具体的な一例として、ＵＭＣＳ１１０は、電源がデバイスに投入されたときに、ＵＭＣＳ１１０の範囲内に存在するＢｌｕｅｔｏｏｔｈデバイスを自動的にスキャンするように実施することができる。検出されたＢｌｕｅｔｏｏｔｈデバイスに基づいて、ＵＭＣＳ１１０は、以下でより十分に説明されるように、サービス提供を形成することができる。
【００２０】
ＵＭＣＳ１１０は、様々なデバイスおよびデバイスのクラスと、無線ネットワーク１２０を介して対話することが可能である。例えば、場合によっては、ＵＭＣＳ１１０は、ＵＭＣＳ対応アプリケーション・デバイスと、無線ネットワーク１２０を介して直接対話するように動作可能である。そのようなＵＭＣＳ対応アプリケーション・デバイスは、ＵＭＣＳ１１０に対して認証を行い、ＵＭＣＳ１１０から情報を受け入れ、ＵＭＣＳ１１０に情報を転送する機能と、デジタル著作権管理を提供する機能とを含み、それによって、コンテンツは、ＵＭＣＳ１１０とＵＭＣＳ対応アプリケーション・デバイスの間の転送時に保護されるばかりでなく、ＵＭＣＳ対応アプリケーション・デバイス内でも安全に保持される。無線ネットワーク１２０がＢｌｕｅｔｏｏｔｈネットワークである状況では、上述のＵＭＣＳ対応アプリケーション・デバイスは、Ｂｌｕｅｔｏｏｔｈ機能を含む。代替的または追加的に、無線ネットワーク１２０がＷｉＦｉネットワークである状況では、上述のＵＭＣＳ対応アプリケーション・デバイスは、ＷｉＦｉ機能を含む。
【００２１】
様々な場合において、ＵＭＣＳ１１０は、無線ネットワーク１２０を介して、非ＵＭＣＳ対応アプリケーション・デバイスと直接対話するように動作可能である。そのような場合、ＵＭＣＳ１１０は、出力を適合する機能、および非ＵＭＣＳ対応アプリケーション・デバイスから入力を受け取る機能を含み、または非ＵＭＣＳ対応アプリケーション・デバイスは、あるクラスのデバイスと共に動作するように適合された専門ＵＭＣＳ変換器を介して、ＵＭＣＳ１１０と対話することができる。したがって、例えば、無線ネットワーク１２０がＢｌｕｅｔｏｏｔｈネットワークである場合、ＵＭＣＳ変換器は、多くの通信手法の任意の１つを介して、情報を非ＵＭＣＳ対応アプリケーション・デバイスから受け取り、また非ＵＭＣＳ対応アプリケーション・デバイスに提供すること、およびＢｌｕｅｔｏｏｔｈプロトコルを使用して、情報をＵＭＣＳ１１０に／から伝達することを可能にすることができる。一例として、ＵＭＣＳ１１０は、ＵＭＣＳデジタル・オーディオ変換器１５０を介して、デジタル・オーディオ・デバイス（例えば、デジタル・オーディオ・プレーヤ１５１およびデジタル・オーディオ・レコーダ１５２）と対話することができる。別の例として、セルラ電話１６１または携帯情報端末（図示されず）は、直接またはＵＭＣＳオーディオ／ビデオ変換器１６０を介して、ＵＭＣＳ１１０と対話することができる。また別の例として、ＵＭＣＳ１１０は、ＵＭＣＳデジタル・ビデオ変換器１６５を介して、ビデオ・デバイス（例えば、セットトップ・ボックス１６６、ビデオ・カセット・プレーヤ１６７、デジタル・ビデオ・レコーダ１６８、およびテレビ１６９）と対話することができる。さらに別の例として、ＵＭＣＳ１１０は、ＵＭＣＳデジタル画像変換器１７０を介して、デジタル・スチール・カメラ１７１またはプリンタ（図示されず）などの静止画デバイスと対話することができる。また別の例として、ＵＭＣＳ１１０は、ＵＭＣＳ  ＧＰＳ変換器１７５を介して、ＧＰＳ受信機／ディスプレイ１７６と対話することができる。
【００２２】
様々な場合において、ＵＭＣＳ１１０は、ＵＭＣＳ複合変換器１４０を介して、非ＵＭＣＳ対応アプリケーション・デバイスと直接対話するように動作可能である。ＵＭＣＳ複合変換器１４０は、複数のクラスの受取側デバイスとのＵＭＣＳ対話を提供するように動作可能である。したがって、例えば、無線ネットワーク１２０がＢｌｕｅｔｏｏｔｈネットワークである場合、ＵＭＣＳ複合変換器１４０は、多くの通信手法の任意の１つを介して、情報を異なるクラスの非ＵＭＣＳ対応アプリケーション・デバイスから受け取り、また異なるクラスの非ＵＭＣＳ対応アプリケーション・デバイスに提供すること、およびＢｌｕｅｔｏｏｔｈプロトコルを使用して、情報をＵＭＣＳ１１０に／から伝達することを可能にすることができる。一例として、ＵＭＣＳ複合変換器１４０は、ＵＭＣＳ１１０を、例えば、デジタル・オーディオ・プレーヤ１４１、デジタル・ビデオ・レコーダ１４２、テレビ１４３、セットトップ・ボックス１４４、デジタル・スチール・カメラ１４５、ビデオ・カセット・プレーヤ１４６、デジタル・オーディオ・レコーダ１４７、セルラ電話１４８、およびＧＰＳ受信機１４９、または上記のデバイス・クラスの何らかの組合せに結合することができる。そのような場合、ＵＭＣＳ１１０内に含まれる記憶媒体から入手されるコンテンツの復号は、ＵＭＣＳ複合変換器１４０内に備えられた復号器を使用して行われる。したがって、コンテンツは、ＵＭＣＳ１１０によってアンラップ（ｕｎｗｒａｐ）され、アンラップされたコンテンツは、無線ネットワーク１２０を介して、ＵＭＣＳ複合変換器１４０に提供される。ＵＭＣＳ複合変換器１４０は、コンテンツを復号し、それを適切な受取側デバイスに提供する一方で、同時に、任意の要求されたデジタル著作権管理が維持されることを確実にする。いくつかの場合には、ＵＭＣＳ複合変換器１４０は、１つまたは複数の受取側デバイスに関連するドングルとして実施されてよい。
【００２３】
ＵＭＣＳデバイスを含むコンテンツ使用ネットワークについてのさらなる説明は、すべての目的で先に参照により本明細書に組み込まれた、「Ｓｙｓｔｅｍｓ  ａｎｄ  Ｍｅｔｈｏｄｓ  ｆｏｒ  Ｍｏｂｉｌｅ  Ｄａｔａ  Ｓｔｏｒａｇｅ  ａｎｄ  Ａｃｑｕｉｓｉｔｉｏｎ」と題する特許出願で提供されている。
【００２４】
図２を参照すると、フローチャート５００は、本発明の１つまたは複数の実施形態に従ってＵＭＣＳデバイスを他のローカル・デバイスとバインドするための、本発明の１つまたは複数の実施形態による方法を示している。フローチャート５００によれば、ＵＭＣＳデバイスは、電力オンされ、または他の方法で使用可能にされる（ブロック５１０）。ひとたび使用可能にされると、ＵＭＣＳデバイスは、いずれか利用可能なネットワークを検出し（ブロック５２０）、そのようなネットワークに対して自らを認証しようと試みる（ブロック５３０）。上述の検出および認証は、特定のネットワークによる認証を待つこと、および／またはそのネットワークが既知のネットワークかどうかを識別することなどを含むことができる。したがって、ネットワークがＢｌｕｅｔｏｏｔｈネットワークである場合、ＵＭＣＳデバイスは、Ｂｌｕｅｔｏｏｔｈネットワーク・プロトコルに従って、信号を送信および／または受信する。代替的または追加的に、ネットワークがＷｉＦｉネットワークである場合、ＵＭＣＳデバイスは、ＷｉＦｉネットワーク・プロトコルに従って、信号を送信および／または受信する。次に、認証された各ネットワークについて、ＵＭＣＳデバイスは、ネットワークに通信可能に結合された他のＵＭＣＳ対応デバイスまたはＵＭＣＳアクセス可能デバイスを識別する（ブロック５４０）。これは、当技術分野で知られた、接続されたデバイスを識別するための任意の方法を使用して行われてよい。検出されたデバイスの１つまたは複数に対して、特定のデバイスをＵＭＣＳにバインドするために、認証プロセスが実行される（ブロック５５０）。そのような認証プロセスは、認証されるデバイスに関連する一意識別子を入手することと、一意識別子をＵＭＣＳ上に保持された既知デバイスの一覧と照合することとを含むことができる。代替的または追加的に、ユーザ名およびパスワードが、認証されるデバイスに要求されてよく、ユーザ名およびパスワードが一致した場合、デバイスは認証される。本明細書で提供される開示に基づいて、当業者であれば、本発明の１つまたは複数の実施形態に関して使用され得る他の認証手法について理解されよう。
【００２５】
ひとたび様々なデバイスが認証されると（ブロック５５０）、それらは、認証されたデバイスを既知デバイスの一覧に含め、バインドされるデバイスとの通信を維持することによって、ＵＭＣＳにバインドされる（ブロック５６０）。さらに、検出／認証プロセス（ブロック５２０〜ブロック５６０）は、定期的に繰り返され、または指令を受けて繰り返される。したがって、既知デバイスの一覧に対する更新が実行されるかどうかが定期的に決定される（ブロック５７０）。既知デバイスの一覧に対する更新は、以前は識別されなかったデバイスがネットワークを介して検出された場合、または既知デバイスのうちのデバイスの１つが利用不可能になった場合はいつでも呼び出されてよい。既知デバイスの一覧に対する更新が実行される場合、上述のステップが繰り返され、既知デバイスの更新された一覧をもたらす（ブロック５２０〜ブロック５６０）。
【００２６】
図３を参照すると、本発明の１つまたは複数の実施形態による、ＵＭＣＳ２００が示されている。ＵＭＣＳ２００は、ハードディスク・ドライブ・インターフェース２１５を介してプロセッサ２１０からアクセス可能なハードディスク・ドライブ２０５を含む。ハードディスク・ドライブ・インターフェース２１５は、データをハードディスク・ドライブ２０５に転送すること、およびハードディスク・ドライブ２０５から転送することを可能にする、当技術分野で知られた任意のインターフェースとすることができる。さらに、ハードディスク・ドライブ２０５は、当技術分野で知られた任意のハードディスク・ドライブとすることができる。具体的な１つの場合では、ハードディスク・ドライブ・インターフェース２１５は、標準ＡＴＡインターフェースであり、ハードディスク・ドライブ２０５は、ＡＴＡハードディスク・ドライブである。
【００２７】
加えて、ＵＭＣＳ２００は、各々がシステム・バス２５０を介してプロセッサ２１０に結合される、複数の伝送経路２３０を含む。示されるように、ＵＭＣＳ２００は、３つの異なる伝送経路を含み、その各々は、送信器／受信器２３２、２３４、２３６を含み、送信器／受信器２３２、２３４、２３６は、それぞれのアンテナ２４１、２４２、２４３およびローカル・バッファリング・メモリ２３１、２３３、２３５に電気的に結合される。ＵＭＣＳ２００は、ＵＭＣＳ２００の意図した使用および／または設計に応じて、より多数または少数の伝送経路を含んでよいことに留意されたい。
【００２８】
ＵＭＣＳ２００は、システム・バス２１０を介してプロセッサ２１０に電気的に結合される、フラッシュ・メモリ２５８およびシステム・メモリ２５４を備えるメモリ・システムも含む。本発明のいくつかの実施形態は、ＵＭＣＳ２００の電力消費を制限するために、ハードディスク・ドライブ２０５およびフラッシュ・メモリ２５８の組合せを利用する。ハードディスク・ドライブ２０５をスピンアップするのに相当な電力が消費されるので、ハードディスク・ドライブへのアクセス頻度をより大きく減らすことは、ＵＭＣＳ２００についての相当な電力節約を提供する。これに部分的に基づいて、本発明のいくつかの実施形態は、ハードディスク・ドライブ２０５へのアクセスが制限されるように、フラッシュ・メモリ２５８のサイズおよびアロケーションを慎重に適合させる。ハードディスク・ドライブ２０５へのそのようなアクセスが実行される場合、大量の適切に選択されたデータが、ハードディスク・ドライブ２０５からフラッシュ・メモリ２５８に移送される。データの大きな連続ブロックがハードディスク・ドライブからキャッシュ・メモリに引き出される他の手法と対照的に、ハードディスク・ドライブ２０５からフラッシュ・メモリ２５８に引き出されるデータは、必ずしも連続である必要はない。さらに、場合によっては、ハードディスク・ドライブ２０５からフラッシュ・メモリ２５８にコピーされるデータは、特定のメモリ・タイプおよび／または多くのコンテンツ・オブジェクトからなるメディアの集まり（ｍｅｄｉａ  ａｓｓｅｍｂｌａｇｅ）によって指図される。
【００２９】
本発明の１つまたは複数の実施形態に関して利用され得るＵＭＣＳデバイスについてのさらなる説明は、すべての目的で先に参照により本明細書に組み込まれた、「Ｓｙｓｔｅｍｓ  ａｎｄ  Ｍｅｔｈｏｄｓ  ｆｏｒ  Ｍｏｂｉｌｅ  Ｄａｔａ  Ｓｔｏｒａｇｅ  ａｎｄ  Ａｃｑｕｉｓｉｔｉｏｎ」と題する特許出願において提供されている。上述の特許出願において開示されたモバイル記憶デバイスの１つまたは複数は、グラフィカル・ユーザ・インターフェースを含まず、または非常に限られたグラフィカル・ユーザ・インターフェースを含むにすぎないことに留意されたい。そのような場合、通信可能に結合されたモバイル・アプリケーション・デバイスのグラフィカル・ユーザ・インターフェースは、モバイル記憶デバイスを制御するために使用されてよい。先に示唆されたように、そのようなモバイル・アプリケーション・デバイスは、ＭＰ３プレーヤ、ポータブル・ビデオ・プレーヤ、および携帯情報端末などを含むことができるが、それらに限定されない。さらに、ＵＭＣＳ２００の部分として３つのアンテナが示されているが、本発明の１つまたは複数の実施形態によれば、複数の無線チャネルをサポートすることができる単一アンテナ実装が可能であることに留意されたい。複数の無線チャネルをサポートするそのような単一アンテナ手法の一例は、すべての目的で先に参照により本明細書に組み込まれた、「Ｓｙｓｔｅｍｓ  ａｎｄ  Ｍｅｔｈｏｄｓ  ｆｏｒ  Ｍｕｌｔｉｐｏｒｔ  Ｃｏｍｍｕｎｉｃａｔｉｏｎ  Ｄｉｓｔｒｉｂｕｔｉｏｎ」と題する特許出願において提供されている。
【００３０】
図４を参照すると、本発明の１つまたは複数の実施形態によるデジタル著作権管理システム７００のブロック図が示されている。デジタル著作権管理システム７００は、１つまたは複数のコンテンツ・オブジェクト７１０と、多くのデジタル著作権管理モジュール７２０と、多くのフォーマット変換モジュール７３０と、プロセッサとを含む。各コンテンツ・オブジェクト７１０は、コンテンツ・オブジェクト・ペイロード７１２と、ファイル・ディスクリプタ７１４とを含む。コンテンツ・オブジェクト・ペイロード７１２は、変更なしでまたは暗号解除後にコンテンツ・オブジェクト７１０の内容を含む、データを含む。したがって、多くの例のほんのいくつかとして、コンテンツ・オブジェクト・ペイロード７１２は、デジタル化音楽選択物、デジタル化ビデオ選択物、またはソフトウェア・プログラムなどとすることができる。ファイル・ディスクリプタ７１４は、コンテンツ・オブジェクト７１０を記述する情報の１つまたは複数のフィールドを含む。示されるように、ファイル・ディスクリプタ７１４は、コンテンツ・オブジェクト・ペイロード７１２のネイティブ・フォーマットを識別するフィールド７１６と、コンテンツ・オブジェクト・ペイロード７１２に適用されるいずれかのデジタル著作権管理を識別するフィールド７１８とを含む。本明細書で提供される開示に基づいて、当業者であれば、本発明の１つまたは複数の実施形態に関して使用され得る様々なコンテンツ・オブジェクト、コンテンツ・オブジェクト・ペイロード、およびファイル・ディスクリプタについて理解されよう。本発明の具体的な一実施形態では、デジタル著作権管理システム７００は、ＵＭＣＳデバイスの部分として実施される。
【００３１】
動作について、コンテンツ・オブジェクト７１０が配布用に選択される。選択は、デジタル著作権管理システム７００に通信可能に結合された別のデバイスから受け取られてよく、選択されたコンテンツ・オブジェクトがそれで提供される最終フォーマットの表示を含むことができる。最終フォーマットの表示が受け取られない場合、選択されたコンテンツ・オブジェクトのネイティブ・フォーマットでの配送が許容可能であると仮定される。本明細書で使用される「ネイティブ・フォーマット」という語句は、プロセッサ７４０からアクセス可能な記憶コンポーネント上で特定のコンテンツ・オブジェクトが保持されるいずれかのフォーマットを指す最も広い意味で使用される。したがって、例えば、選択されたコンテンツ・オブジェクトがオーディオ・ファイルである場合、ネイティブ・フォーマットは、ＭＰ３またはハイ・ディフィニション・オーディオとすることができる。本明細書で提供される開示に基づいて、当業者であれば、特定のコンテンツ・オブジェクトが保持され得る多くのネイティブ・フォーマットについて理解されよう。
【００３２】
コンテンツ・オブジェクト７１０の選択に応答して、プロセッサ７４０は、プロセッサ７４０からアクセス可能な記憶要素からコンテンツ・オブジェクト７１０を入手する。プロセッサ７４０は、必要ならば、どのデジタル著作権管理モジュール７２０を使用して、コンテンツ・オブジェクト・ペイロード７１２を暗号解除または他の方法でアンラップするかを決定するために、ファイル・ディスクリプタ７１４内の情報を使用する。コンテンツ・オブジェクト・ペイロード７１２を暗号解除または他の方法でアンラップするために、選択されたデジタル著作権管理モジュール７２０が、プロセッサ７４０によって実行される。デジタル著作権管理手法がファイル・ディスクリプタ７１４で識別されない場合、デジタル著作権管理は実施されないと仮定される。そのような場合、デジタル著作権管理モジュール７２０は選択されず、上述の暗号解除／アンラップ・プロセスはスキップされる。
【００３３】
さらに、コンテンツ・オブジェクト７１０の元の選択が、ファイル・ディスクリプタ７１４によって示されるネイティブ・フォーマットと異なる最終フォーマットを指示している場合、オブジェクト・ペイロード７１２をファイル・ディスクリプタ７１４によって示されるネイティブ・フォーマットから指示されたファイル・フォーマットに変換するために、プロセッサ７４０は、フォーマット変換モジュール７３０の適切な１つを選択する。ひとたび上記の暗号解除およびフォーマット変換が完了すると、コンテンツ・オブジェクト・ペイロード７１２は、ストリーム送信コンテンツ・オブジェクト７５０として、指示された受取側デバイスに提供される。
【００３４】
ストリーム送信コンテンツ・オブジェクト７５０を提供することは、コンテンツ・オブジェクト・ペイロード７１２の暗号解除およびフォーマット変換された部分を切れ切れに送信することを含むことができるが、それに限定されない。ひとたび部分が受け取りデバイスによって受け取られると、コンテンツ・オブジェクト・ペイロードは、復号され、特定のコンテンツ・オブジェクトに適したオーディオ、ビジュアル、または他の様式で消費される。ひとたび消費されると、コンテンツ・オブジェクト・ペイロード７１２の部分は、コンテンツ・オブジェクトに関連するデジタル著作権管理に従って、受取側デバイスから削除される。場合によっては、受け取りデバイスとデジタル著作権管理システム７００が実施されるデバイスとの間の無線リンクを介して、情報が提供される。
【００３５】
上記の説明を読むことで理解されるように、本発明の様々な実施形態は、１つまたは複数のデジタル著作権管理方式を含む、コンテンツ・オブジェクトを配布するためのシステムおよび方法を提供する。場合によっては、そのようなシステムおよび方法は、デジタル著作権管理システム７００が実施されるデバイスに通信可能に結合された１つまたは複数のデバイスへの著作権管理コンテンツの配布を提供することができる。さらに、そのような配布は、コンテンツを別のデバイスに配布するユーザに追加料金を課すことなく達成されてよい。コンテンツは配布に対してローカルなデバイス上に保持されるので、著作権管理コンテンツは、パーソナル・コンピュータの支援を受けずに、またはインターネットにアクセスせずに、配布され得ることにも留意されたい。さらに、配布されるコンテンツは、無線アクセス可能なモバイル記憶媒体上に保持され得るので、消費デバイス（例えば、消費者電子デバイス）からアクセス可能な形式で所望のコンテンツを取り出し、または再符号化するために、特定の場所（例えば、パーソナル・コンピュータが配置された自宅）に戻ることを必要とせずに、コンテンツは、即座にアクセスされ、消費されることができる。
【００３６】
図５を参照すると、図５は、本発明の１つまたは複数の実施形態による、コンテンツ・オブジェクト配送のための方法を示している。コンテンツ会社３１０は、オンライン小売業者３１５および無線小売業者３２０の両方によるデジタル・コンテンツ配布にライセンスを与える際の、多くのコンテンツ所有者を表す。次に、オンライン小売業者３１５および無線小売業者３２０は、ライセンスを受けたコンテンツ・オブジェクトを、コンテンツ会社３１０から得たライセンスの下で、消費者（例えば、ユーザによって維持されているＵＭＣＳデバイス４１０）に配布する。ＵＭＣＳ４１０は、オンライン小売業者３１５、無線小売業者３２０、および／または例えば、オーディオ・キャプチャ・デバイス４２０またはビデオ・キャプチャ・デバイス４１５などの、自己保持コンテンツ機器のいずれかから、コンテンツを受け取ることができる。ＵＭＣＳ４１０は、共通インターフェースを介して１つまたは複数の消費者デバイスにコンテンツを出力することが可能である。場合によっては、共通インターフェースは、無線インターフェースである。そのような無線インターフェースは、８０２．１１無線インターフェースとすることができるが、それに限定されない。具体的な１つの場合では、無線インターフェースは、８０２．１１（ｉ）無線インターフェースである。
【００３７】
様々な場合では、コンテンツ・オブジェクトは、特定のフォーマットで受け取られ、受け取りフォーマットでＵＭＣＳ４１０に保存される。他の場合では、ＵＭＣＳ４１０は、受け取ったコンテンツ・オブジェクトが保存される前に、そのコンテンツ・オブジェクトに対してフォーマット変換を実行する。コンテンツ・オブジェクトがＵＭＣＳ４１０に保存されるフォーマットは、本明細書では「ネイティブ・フォーマット」と呼ばれる。さらに、受け取られたコンテンツ・オブジェクトは、何らかの形式のデジタル著作権管理を必要とすることがある。そのような場合、特定の形式のデジタル著作権管理が、受け取られたコンテンツ・オブジェクトに関連づけられる。場合によっては、受け取られたコンテンツ・オブジェクトは、ＵＭＣＳ４１０のメモリに保存される前に暗号解除されてよい。そのような場合、メモリ内のコンテンツ・オブジェクトへのどのようなアクセスも、デジタル著作権管理要件を満たすことを必要とする。他の場合では、コンテンツ・オブジェクトは、暗号化または符号化状態で保存され、コンテンツ・オブジェクトがメモリから入手される場合にだけ、デジタル著作権管理が適用される。そのような場合、コンテンツ・オブジェクトのネイティブ・フォーマットと、特定のコンテンツ・オブジェクトを暗号解除するために使用され得る特定のデジタル著作権管理方式／鍵との両方を示すタグが、コンテンツ・オブジェクトと共に保存されてよい。
【００３８】
ここで図６を参照すると、フローチャート６００は、本発明の１つまたは複数の実施形態による、アプリケーション・デバイスに対してローカルに保存されたデータに対してデジタル著作権管理を実行するための方法を示している。フローチャート６００によれば、情報が、ＵＭＣＳデバイスに関連するアンテナを介して受信される（ブロック６０５）。アンテナを介して受信された情報は、復調され、バッファリングされる（ブロック６１０〜ブロック６１５）。次に、ＵＭＣＳが通信しているデバイスが認証されているかどうかが決定される（ブロック６２０）。認証が完了していない場合（ブロック６２０）、認証要件を満たすために、認証が直ちに実行されることができ、またはプロセスは単に終了してもよい（ブロック６５５）。そのような認証は、当技術分野で知られた任意の認証手法を使用して実行されてよい。本発明の他の実施形態では、すでに認証および／またはバインドされているデバイスからの情報のみが受け取られることができる。そのような場合、ブロック６２０およびブロック６５５は必要でなくてよい。
【００３９】
認証要件が満たされた場合（ブロック６２０）、受け取った情報が、ＵＭＣＳデバイスに関連する記憶コンポーネントへの保存の対象であるか、それとも記憶コンポーネントからの取り出しの対象であるかが決定される（ブロック６２５）。受け取った情報が記憶コンポーネントに保存される場合（ブロック６２５）、その情報が符号化されるかどうかが決定される（ブロック６３０）。情報が符号化される場合（ブロック６３０）、適切な符号化が実行される（ブロック６３５）。場合によっては、符号化は、受け取りフォーマットからネイティブ・フォーマットへのフォーマット変換を提供する。先に説明されたように、本発明のいくつかの実施形態では、コンテンツ・オブジェクトは、それが受け取られたフォーマットで保存される。そのような場合、上述の符号化は実行されない。本発明の他の実施形態では、コンテンツ・オブジェクトは、コンテンツ・オブジェクトが保存されるネイティブ・フォーマットに変更するために、最初に符号化される。その後、何らかの形式のデジタル著作権管理が情報に適用されるかどうかが決定される（ブロック６４０）。デジタル著作権管理が適用される場合（ブロック６４０）、コンテンツ・オブジェクトに関する適切なデジタル著作権管理が指示される（ブロック６４５）。最後に、ＵＭＣＳデバイスの記憶コンポーネントに情報が保存され（ブロック６５０）、プロセスは終了する（ブロック６５５）。
【００４０】
代わりに、ＵＭＣＳデバイスの記憶コンポーネントから情報が取り出される場合（ブロック６２５）、指示された情報が、記憶コンポーネントから取り出される（ブロック６６０）。加えて、取り出された情報に関してデジタル著作権管理が実行されるかどうかが決定される（ブロック６６５）。取り出された情報に関してデジタル著作権管理が実行される場合（ブロック６６５）、適切なデジタル著作権管理モジュールが入手され（ブロック６７０）、取り出された情報がアンラップまたは他の方法で暗号解除される（ブロック６７５）。次に、情報がネイティブ・フォーマット以外のフォーマットで要求者に提供されるかどうかが決定される（ブロック６８０）。情報がネイティブ・フォーマット以外で提供される場合（ブロック６８０）、適切な復号（すなわち、フォーマット変換）が実行される（ブロック６８５）。最後に、情報が変調され（ブロック６９０）、アンテナを介して送信される（ブロック６９５）。
【００４１】
結論として、本発明は、ハンズフリー操作環境を実施するための新規なシステム、デバイス、方法、および構成を提供する。多くの異なるデータ共用手法が本明細書で説明されたが、当業者であれば、本開示を読んだときに、本発明の様々な実施形態に従って実施され得る他の手法を理解するであろうことに留意されたい。特に、本発明の１つまたは複数の実施形態の詳細な説明が上で与えられたが、本発明の主旨から逸脱することのない様々な代替、修正、および均等物が当業者には明らかであろう。したがって、上記の説明は、本発明の範囲を限定するものと理解されるべきではなく、本発明の範囲は、添付の特許請求の範囲によって確定される。
【図面の簡単な説明】
【００４２】
【図１】本発明のいくつかの実施形態による、様々なＵＭＣＳデバイスを示す図である。
【図２】本発明の１つまたは複数の実施形態に従ってＵＭＣＳデバイスを他のローカル・デバイスとバインドするための、本発明の１つまたは複数の実施形態による方法を示すフローチャートである。
【図３】本発明のいくつかの実施形態による、例示的なＵＭＣＳデバイスを示す図である。
【図４】本発明の様々な実施形態による、デジタル著作権管理システムのブロック図である。
【図５】本発明のいくつかの実施形態による、コンテンツ・オブジェクトを配布のための方法を示す図である。
【図６】本発明の１つまたは複数の実施形態による、アプリケーション・デバイスに対してローカルに保存されたデータに対してデジタル著作権管理を実行するための方法を示す図である。
【図１】
2009543218.tif 000003
【図２】
2009543218.tif 000004
【図３】
2009543218.tif 000005
【図４】
2009543218.tif 000006
【図５】
2009543218.tif 000007
【図６】
2009543218.tif 000008
【国際調査報告】
2009543218.tif 000009